(57)【要約】【課題】使用のために準備した物品の使用状態を、効率的に管理するための物品管理システム、物品管理方法及び物品管理プログラムを提供する。【解決手段】物品管理システムは、作業で使用する物品を収納する収納トレー３０の物品配置面に設置される表示端末１０と、収納トレー３０の撮影画像を取得する制御部２１と、収納トレー３０の物品配置情報を記憶した使用情報記憶部２３とを備える。そして、制御部２１が、収納トレー３０の物品配置面として設置された表示端末１０に、物品を特定するための確認用画像を表示し、表示端末１０に表示された確認用画像を読み取り、確認用画像の読取結果に基づいて、使用情報記憶部２３に記憶された物品配置情報を用いて収納トレー３０における物品の収納状態を特定する。【選択図】図１
2018092444.tif 000002
【特許請求の範囲】
【請求項１】
トレーの物品配置面に設置される表示部と、
作業で使用する物品を収納するトレーの撮影画像を取得する制御部と、
前記トレーの物品配置情報を記憶した記憶部とを備えた物品管理システムであって、
前記制御部が、
前記トレーの物品配置面として設置された表示部に、前記物品を特定するための確認用画像を表示し、
前記表示部に表示された前記確認用画像を読み取り、
前記確認用画像の読取結果に基づいて、前記記憶部に記憶された物品配置情報を用いて前記トレーにおける前記物品の収納状態を特定することを特徴とする物品管理システム。
【請求項２】
前記確認用画像として、前記物品を特定するためのコード画像を出力することを特徴とする請求項１に記載の物品管理システム。
【請求項３】
前記読取結果に基づいて、前記作業により使用された物品を特定し、前記物品の使用量を前記記憶部に記録することを特徴とする請求項１又は２に記載の物品管理システム。
【請求項４】
前記作業の前に、前記表示部に、前記物品の説明情報を出力することを特徴とする請求項１〜３の何れか一項に記載の物品管理システム。
【請求項５】
前記トレーの物品配置面の下方のタッチパネルにより、前記トレーに配置された仕切り板の接触位置を特定し、
前記接触位置に基づいて前記仕切り板の配置を特定し、
前記仕切り板の配置に基づいて、前記物品の配置位置を特定することを特徴とする請求項１〜４の何れか一項に記載の物品管理システム。
【請求項６】
前記トレーの底面は透明板により構成され、前記透明板の下方に前記表示部を配置することを特徴とする請求項１〜５の何れか一項に記載の物品管理システム。
【請求項７】
トレーの物品配置面に設置される表示部と、
作業で使用する物品を収納するトレーの撮影画像を取得する制御部と、
前記トレーの物品配置情報を記憶した記憶部とを備えた物品管理システムを用いて、物品を管理する方法であって、
前記制御部が、
前記トレーの物品配置面として設置された表示部に、前記物品を特定するための確認用画像を表示し、
前記表示部に表示された前記確認用画像を読み取り、
前記確認用画像の読取結果に基づいて、前記記憶部に記憶された物品配置情報を用いて前記トレーにおける前記物品の収納状態を特定することを特徴とする物品管理方法。
【請求項８】
トレーの物品配置面に設置される表示部と、
作業で使用する物品を収納するトレーの撮影画像を取得する制御部と、
前記トレーの物品配置情報を記憶した記憶部とを備えた物品管理システムを用いて、物品を管理するためのプログラムであって、
前記制御部を、
前記トレーの物品配置面として設置された表示部に、前記物品を特定するための確認用画像を表示し、
前記表示部に表示された前記確認用画像を読み取り、
前記確認用画像の読取結果に基づいて、前記記憶部に記憶された物品配置情報を用いて前記トレーにおける前記物品の収納状態を特定する手段として機能させることを特徴とする物品管理プログラム。
【発明の詳細な説明】
【技術分野】
【０００１】
本発明は、物品を管理するための物品管理システム、物品管理方法及び物品管理プログラムに関する。
【背景技術】
【０００２】
各種物品を識別するために、バーコードや二次元コード等のコード画像が用いられている。このようなコード画像を、例えば、物品に貼付することにより、各物品を識別して物品の管理等を行なうことができる。
【０００３】
また、複数のカラーを用いた二次元コードも検討されている（例えば、特許文献１参照。）。この文献に記載された技術においては、画像に含まれる物品に付された二次元コードのうち検出対象の物品に対応する二次元コードの領域のそれぞれを特定する。具体的には、取得した画像（原画像）から生成されたエッジ画像に基づき、このエッジ画像中における候補領域の抽出、候補領域に対応する原画像中の対応領域のそれぞれに特徴的なパターンが含まれているか否かの判定を経て、原画像中から二次元コードの領域を検出する。また、検出した二次元コードの領域の各セルの領域について色判定処理を行ない、各セルの領域の色の判定結果に基づきコード化された情報を識別する。
【０００４】
また、医療現場においては、幾つかの薬品類を予めトレーにセットしておき、使用された薬品類の使用状況を管理する。このような薬品管理を行なうための薬品管理システムが検討されている（例えば、特許文献２参照。）。この文献に記載された技術においては、トレーにセットすべき薬品類の配置を調剤指示に応じて決定し、トレーの内底に敷ける印刷用紙に薬品類の識別コードを上記配置に対応させてカラー印刷を行なう。使用後にトレーを上から撮像し、その画像から識別コードを読み取り、読取の可否に応じて薬品類の使用の無有を判別する。
【先行技術文献】
【特許文献】
【０００５】
【特許文献１】特開２０１２−３３０３３号公報
【特許文献２】特開２０１１−２４６６３号公報
【発明の概要】
【発明が解決しようとする課題】
【０００６】
特許文献２に記載された技術においては、作業で使用する物品の情報を印字した紙を準備し、この紙をトレーの仕切り内に配置する手間がかかった。
本発明は、上記課題を解決するためになされたものであり、その目的は、使用のために準備した物品の使用状態を、効率的に管理するための物品管理システム、物品管理方法及び物品管理プログラムを提供することにある。
【課題を解決するための手段】
【０００７】
・上記課題を解決する物品管理システムは、トレーの物品配置面に設置される表示部と、作業で使用する物品を収納するトレーの撮影画像を取得する制御部と、前記トレーの物品配置情報を記憶した記憶部とを備える。そして、前記制御部が、前記トレーの物品配置面として設置された表示部に、前記物品を特定するための確認用画像を表示し、前記表示部に表示された前記確認用画像を読み取り、前記確認用画像の読取結果に基づいて、前記記憶部に記憶された物品配置情報を用いて前記トレーにおける前記物品の収納状態を特定する。これにより、トレーの設置面に配置された表示画面に基づいて、物品の使用状況を効率的に特定することができる。
【０００８】
・上記物品管理システムにおいては、前記確認用画像として、前記物品を特定するためのコード画像を出力することが好ましい。これにより、コード画像を用いて、収納されていた物品を特定することができる。
【０００９】
・上記物品管理システムにおいては、前記読取結果に基づいて、前記作業により使用された物品を特定し、前記物品の使用量を前記記憶部に記録することが好ましい。これにより、物品の使用状況を把握することができる。
【００１０】
・上記物品管理システムにおいては、前記作業の前に、前記表示部に、前記物品の説明情報を出力することが好ましい。これにより、物品の説明情報に基づいて、作業に使用する物品をトレーに効率的に収納することができる。
【００１１】
・上記物品管理システムにおいては、前記トレーの物品配置面の下方のタッチパネルにより、前記トレーに配置された仕切り板の接触位置を特定し、前記接触位置に基づいて前記仕切り板の配置を特定し、前記仕切り板の配置に基づいて、前記物品の配置位置を特定することが好ましい。これにより、仕切り板の配置に応じて、物品の収納位置を決定することができる。
【００１２】
・上記物品管理システムにおいては、前記トレーの底面は透明板により構成され、前記透明板の下方に前記表示部を配置することが好ましい。これにより、物品の収納とは別に表示部を格納したり取り出したりすることができるので、表示が必要な場合に表示部に表示画面を出力することができる。
【発明の効果】
【００１３】
本発明によれば、使用のために準備した物品の使用状態を、効率的に管理することができる。
【図面の簡単な説明】
【００１４】
【図１】本実施形態のシステム概略図。
【図２】本実施形態の収納トレーの説明図であって、（ａ）は収納トレー本体、（ｂ）は仕切り板の配置、（ｃ）表示端末の格納の説明図。
【図３】本実施形態の処理手順の説明図。
【図４】本実施形態の処理手順の説明図。
【図５】本実施形態の収納トレーの使用状態の説明図であって、（ａ）は薬品の配置前、（ｂ）は薬品の配置時、（ｃ）は薬品の使用後、（ｄ）はコード画像の表示時の説明図。
【図６】他の実施形態の仕切り板の説明図であって、（ａ）は仕切り板の構成、（ｂ）は表示端末上の配置、（ｃ）は区画の説明図。
【図７】他の実施形態の処理手順の説明図。
【図８】他の実施形態の処理手順の説明図。
【発明を実施するための形態】
【００１５】
以下、図１〜図５に従って、本発明を具体化した一実施形態を説明する。本実施形態では、物品として、手術（作業）において用いる薬品（物品）を管理する場合に用いる物品管理システム、物品管理方法及び物品管理プログラムとして説明する。
【００１６】
図１に示すように、本実施形態では、表示端末１０、撮影装置１５、管理サーバ２０、収納トレー３０を用いる。
図２に示すように、収納トレー３０に、手術に用いる可能性がある薬品（薬液が入ったアンプル等の容器）を収納する。そして、薬品が収納された収納トレー３０を手術室に持ち込む。この場合、収納トレー３０には、手術での使用量を予測して、十分な薬品数を収納しておく。そして、手術においては、収納トレー３０から、必要な薬品を取り出して使用する。手術後においては、残った薬品数に基づいて、手術において使用された薬品量を算出する。
【００１７】
図２（ａ）は、収納トレー３０の外観を示している。この収納トレー３０は、直方体形状を有しており、二重底になっている。物品配置面としての上面底３１は、透過性部材により構成されている。この上面底３１の下側には、表示端末１０を格納するための下部空間が設けられている。収納トレー３０の側面には、上面底３１と底面３２との間に表示端末１０を挿入するための開口部３３が設けられている。
【００１８】
図２（ｂ）に示すように、収納トレー３０には、仕切り板４０を挿入する。この仕切り板４０は、縦板４１と横板４２から構成され、これらによって仕切り領域が区画される。
図２（ｃ）に示すように、仕切り板４０が配置された後、収納トレー３０の上述した下部空間に、表示端末１０を挿入する。この場合、上面底３１は透過性を有するため、上方から表示端末１０のタッチパネルディスプレイ１１を視認することができる。
【００１９】
本実施形態では、タッチパネルディスプレイ１１上に表示されたコード画像を読み取ることにより、使用された薬品を特定する。このコード画像には、各薬品を特定するための薬品コードに関する情報が埋め込まれている。このコード画像としては、複数領域に分割され、各領域に着色された画像（カラーコード画像）を用いる。このカラーコード画像としては、例えば、特許文献１に開示されている技術を用いることが可能である。そして、複数のカラーの中で各領域が着色され、この着色の組み合わせにより、各コード画像を識別できる。
【００２０】
図１に示すように、表示端末１０は、管理サーバ２０から取得した各種情報を出力するコンピュータ端末である。本実施形態では、表示端末１０として、タッチパネルディスプレイ１１を備えたコンピュータ端末を用いる。このタッチパネルディスプレイ１１は、各種情報を画面上に出力する出力部として機能するとともに、画面におけるタッチ操作により、各種情報を入力する入力部として機能する。
【００２１】
撮影装置１５は、被写体を撮影することにより、画像を生成する装置（カメラ）である。例えば、デジタルカメラやスマートフォン等の携帯端末に備えられたカメラを用いることも可能である。本実施形態では、この撮影装置１５を用いて、表示端末１０に表示された画面を撮影する。そして、撮影装置１５は、ネットワークを介して、管理サーバ２０に撮影画像を送信する。
【００２２】
管理サーバ２０は、物品（ここでは薬品）を管理するコンピュータシステムである。管理サーバ２０は、制御部２１、薬品情報記憶部２２、使用情報記憶部２３を備えている。
薬品情報記憶部２２には、各薬品を管理するための薬品管理レコード２２０、在庫管理レコード２２１が記録される。この薬品管理レコード２２０は、各薬品の登録が行なわれた場合に記録され、在庫管理レコード２２１は、在庫が登録された場合に記録される。
【００２３】
薬品管理レコード２２０には、薬品コード、薬品名、薬品説明に関するデータが記録される。
薬品コードデータ領域には、各薬品を特定するための識別子に関するデータが記録される。
【００２４】
薬品名データ領域には、この薬品の名称に関するデータが記録される。
薬品説明データ領域には、この薬品の説明に関するデータが記録される。この薬品説明は、担当者が、使用する薬品を特定するために用いられる。例えば、薬品に貼付されたラベルの画像を用いることができる。
【００２５】
在庫管理レコード２２１には、薬品コード、在庫に関するデータが記録される。
薬品コードデータ領域には、各薬品を特定するための識別子に関するデータが記録される。
在庫データ領域には、この薬品の在庫数に関するデータが記録される。
【００２６】
使用情報記憶部２３には、薬品の使用を管理するためのトレー管理レコード２３０が記録される。更に、使用情報記憶部２３には、トレー管理レコード２３０に関連付けて、収納トレー３０での使用薬品に関する使用薬品レコード２３１が記録される。トレー管理レコード２３０は、薬品の使用目的が登録された場合に記録され、使用薬品レコード２３１は、この使用目的において使用される薬品の数量が登録された場合に記録され、薬品の使用した手術後に更新される。
【００２７】
トレー管理レコード２３０には、使用目的、予定日時、使用日時、撮影画像に関するデータが記録される。
使用目的データ領域には、薬品を使用する個別の目的に関するデータが記録される。例えば、薬品を使用して行なわれる手術を特定する情報（患者名や手術の種類）が記録される。
【００２８】
予定日時データ領域には、この使用目的で、薬品を使用する予定の日時（年月日及び時刻）に関するデータが記録される。
使用日時データ領域には、実際に使用された薬品が登録された日時（年月日及び時刻）に関するデータが記録される。
撮影画像データ領域には、薬品の使用後に、収納トレー３０を上方から撮影した画像が記録される。
【００２９】
使用薬品レコード２３１には、薬品コード、収納位置、使用状況に関するデータが記録される。
薬品コードデータ領域には、この使用目的に応じて使用される薬品を特定するための識別子に関するデータが記録される。
【００３０】
収納位置データ領域には、収納トレー３０において、この薬品を収納する位置（仕切り領域）を特定するためのデータが記録される。
使用状況データ領域には、この収納位置に収納されていた薬品の使用状況（使用や未使用）を特定するためのフラグが記録される。
【００３１】
制御部２１は、制御手段（ＣＰＵ、ＲＡＭ、ＲＯＭ等）を備え、薬品の管理処理を行なう。そのため、記憶部に格納された物品管理プログラムを実行することにより、制御部２１は、薬品管理部２１１、薬品説明表示部２１２、コード処理部２１３として機能する。
【００３２】
薬品管理部２１１は、薬品を管理する処理を実行する。この薬品管理部２１１は、収納トレー３０に格納された表示端末１０のタッチパネルディスプレイ１１上における仕切り板４０の配置（座標）に関する仕切り位置テーブルが記録される。この仕切り位置テーブルにより、タッチパネルディスプレイ１１に並べられた複数の仕切り領域（区画）を特定することができる。
【００３３】
薬品説明表示部２１２は、収納トレー３０に収納する薬品に関する情報を表示する処理を実行する。
コード処理部２１３は、収納トレー３０に収納した薬品を特定するためのコード画像を出力するとともに、撮影画像において読み取ったコード画像をデコードする処理を実行する。
【００３４】
次に、図３〜図５に従って、上記のように構成された物品管理システムを用いての物品管理方法の処理手順を説明する。
（手術前処理）
まず、図３を用いて、手術前処理を説明する。
ここでは、管理サーバ２０の制御部２１は、手術の特定処理を実行する（ステップＳ１−１）。具体的には、表示端末１０を起動し、管理サーバ２０にアクセスする。そして、表示端末１０のタッチパネルディスプレイ１１に薬品管理画面を出力する。この薬品管理画面には、使用する薬品を特定するためのキーワード入力欄が設けられている。キーワードとしては、使用目的や予定日を用いることができる。タッチパネルディスプレイ１１にキーワードが入力され、完了入力が行なわれた場合、制御部２１の薬品管理部２１１は、表示端末１０からキーワードを取得し、このキーワードに基づいて、使用情報記憶部２３からトレー管理レコード２３０を抽出する。次に、薬品管理部２１１は、手術候補をタッチパネルディスプレイ１１に出力する。そして、薬品管理部２１１は、手術候補の中で選択された手術（使用目的）を特定する。
【００３５】
次に、管理サーバ２０の制御部２１は、手術で用いる薬品の特定処理を実行する（ステップＳ１−２）。具体的には、制御部２１の薬品管理部２１１は、使用情報記憶部２３において、特定した手術（使用目的）のトレー管理レコード２３０に関連付けられている使用薬品レコード２３１を取得する。
【００３６】
次に、管理サーバ２０の制御部２１は、画面上で仕切り位置の特定処理を実行する（ステップＳ１−３）。具体的には、制御部２１の薬品管理部２１１は、仕切り位置テーブルを用いて、収納トレー３０に格納された表示端末１０のタッチパネルディスプレイ１１上で、仕切り板４０の配置（区画）を特定する。
【００３７】
次に、管理サーバ２０の制御部２１は、薬品情報の出力処理を実行する（ステップＳ１−４）。具体的には、制御部２１の薬品説明表示部２１２は、表示端末１０のメモリに使用目的を記録する。更に、薬品説明表示部２１２は、特定した仕切り領域（区画）に応じて、タッチパネルディスプレイ１１上に、手術に用いる薬品５１の薬品説明を出力する。例えば、同じ種類の薬品５１の薬品説明は隣接する区画に配置する。一方、異なる種類の薬品５１の薬品説明は、行や列を変更したり、間を空けたりして区別できる区画に配置する。また、薬品数量に応じて、異なる薬品５１の収納に利用する区画４３の間隔を開けたり詰めたりするようにしてもよい。そして、薬品説明表示部２１２は、薬品説明の配置位置を、使用薬品レコード２３１の収納位置データ領域に記録する。この場合、使用薬品レコード２３１の使用状況データ領域には、未使用フラグを記録する。
【００３８】
図５（ａ）に示すように、仕切り板４０により仕切られた区画４３に、薬品説明５０が出力される。ここでは、１８個の区画４３に、必要数の薬品Ａ〜Ｃの薬品説明５０を出力する。
この場合、図５（ｂ）に示すように、担当者は、タッチパネルディスプレイ１１上に表示された薬品説明５０に応じて、対応する薬品５１を区画４３に収納する。
【００３９】
（手術後処理）
次に、図４を用いて、手術後処理を説明する。手術においては、前述したように、収納トレー３０に収納された薬品を使用する。
【００４０】
この場合、図５（ｃ）に示すように、手術の状況に応じて、必要な薬品を使用する。ここで、点線の薬品５１は使用された薬品を示している。
まず、管理サーバ２０の制御部２１は、トレー特定処理を実行する（ステップＳ２−１）。具体的には、手術が終了した場合、表示端末１０において終了入力を行なう。この場合、制御部２１のコード処理部２１３は、この表示端末１０のメモリに記憶されている使用目的を取得することにより、手術に使用された収納トレー３０を特定する。なお、表示端末１０のタッチパネルディスプレイ１１において、使用目的を入力させ、コード処理部２１３が、表示端末１０から使用目的を取得するようにしてもよい。
【００４１】
次に、管理サーバ２０の制御部２１は、ステップＳ１−２と同様に、手術で用いる薬品の特定処理を実行する（ステップＳ２−２）。
次に、管理サーバ２０の制御部２１は、ステップＳ１−３と同様に、画面上で仕切り位置の特定処理を実行する（ステップＳ２−３）。
【００４２】
次に、管理サーバ２０の制御部２１は、薬品のコード画像の出力処理を実行する（ステップＳ２−４）。具体的には、制御部２１のコード処理部２１３は、各薬品について、使用薬品レコード２３１から収納位置を取得する。次に、コード処理部２１３は、特定した仕切り領域（区画）に応じて、タッチパネルディスプレイ１１上に、手術に用いる薬品５１の薬品コードに基づいて生成されたコード画像を出力する。
【００４３】
図５（ｄ）に示すように、表示端末１０のタッチパネルディスプレイ１１に、コード画像５５を出力する。この場合、薬品５１が使用されて、薬品５１が除かれた区画４３は、上方からコード画像５５を視認することができる。一方、薬品５１が使用されず、薬品５１が残っている区画４３においては、コード画像５５は、薬品５１の配置と重複して影になり、上方から視認できない状況となる。
【００４４】
次に、管理サーバ２０の制御部２１は、カメラでコード画像の読取処理を実行する（ステップＳ２−５）。具体的には、撮影装置１５を用いて、コード画像が表示されたタッチパネルディスプレイ１１の表示端末１０が格納された収納トレー３０を、上方から撮影する。そして、制御部２１の薬品管理部２１１は、撮影装置１５から撮影画像を取得する。
【００４５】
次に、管理サーバ２０の制御部２１は、コード画像により使用薬品の特定処理を実行する（ステップＳ２−６）。具体的には、制御部２１のコード処理部２１３は、撮影画像において、読み取り可能なコード画像（確認用画像）を特定する。そして、コード処理部２１３は、撮影画像に含まれるすべてのコード画像をデコードすることにより、薬品コードを取得する。
【００４６】
次に、管理サーバ２０の制御部２１は、使用薬品の登録処理を実行する（ステップＳ２−７）。具体的には、制御部２１の薬品管理部２１１は、撮影画像を、トレー管理レコード２３０に記録する。次に、薬品管理部２１１は、薬品コードを取得した使用薬品レコード２３１の未使用フラグを使用フラグに更新する。更に、薬品管理部２１１は、使用された薬品について、在庫管理レコード２２１の在庫数から、使用フラグを記録した数を減算し、算出した新たな在庫数を在庫管理レコード２２１の在庫数に記録する。
【００４７】
本実施形態によれば、以下のような効果を得ることができる。
（１）本実施形態においては、仕切り板４０が配置された収納トレー３０の底面３２に表示端末１０を格納する。これにより、表示端末１０のタッチパネルディスプレイ１１に商品説明やコード画像を出力することができる。この収納トレー３０の上面底３１は透過性部材により構成されているため、収納トレー３０の上面底３１を通じて、表示内容を閲覧することができる。
【００４８】
（２）本実施形態においては、管理サーバ２０の制御部２１は、手術の特定処理（ステップＳ１−１）、手術で用いる薬品の特定処理（ステップＳ１−２）、画面上で仕切り位置の特定処理（ステップＳ１−３）、薬品情報の出力処理（ステップＳ１−４）を実行する。これにより、収納トレー３０において仕切り板４０で仕切られた区画４３内の薬品説明５０を確認しながら薬品５１を収納することができる。
【００４９】
（３）本実施形態においては、管理サーバ２０の制御部２１は、薬品のコード画像の出力処理（ステップＳ２−４）、カメラでコード画像の読取処理（ステップＳ２−５）、コード画像により使用薬品の特定処理（ステップＳ２−６）を実行する。これにより、表示端末１０に表示されたコード画像の読取状況に基づいて、使用された薬品５１や使用されなかった薬品５１を特定することができる。
【００５０】
（４）本実施形態においては、管理サーバ２０の制御部２１は、使用薬品の登録処理を実行する（ステップＳ２−７）。これにより、薬品５１の在庫量を効率的に管理することができる。
【００５１】
また、上記実施形態は、以下のように変更してもよい。
・上記実施形態では、二重底（上面底３１、底面３２）を備えた収納トレー３０を用いる。上面底３１が設けられていない収納トレー３０を用いることも可能である。具体的には、収納トレー３０の底面３２に表示端末１０を設置し、タッチパネルディスプレイ１１上に、仕切り板４０や薬品５１を配置する。この場合には、タッチパネルディスプレイ１１が物品配置面として機能する。
【００５２】
・上記実施形態では、収納トレー３０の開口部３３に格納された表示端末１０を用いる。撮影装置１５に対して対面に表示部が設置できれば、表示端末１０の配置は、収納トレー３０内に限定されるものではない。例えば、収納トレー３０の底面３２を透過性部材により構成し、表示端末１０のタッチパネルディスプレイ１１上に収納トレー３０を設置するようにしてもよい。
【００５３】
また、収納トレー３０の上面に、下方にタッチパネルディスプレイ１１を向けて表示端末１０を設置するようにしてもよい。この場合には、透過性部材から構成された底面３２から、コード画像の撮影を行なう。
【００５４】
また、表示部は、薬品説明５０やコード画像を出力できる装置であれば、タッチパネルディスプレイ１１を備えた表示端末１０に限定されるものではない。机上に上方に向けたディスプレイを設置し、このディスプレイ上に、透過性の底面３２を備えた収納トレー３０を配置するようにしてもよい。
【００５５】
・上記実施形態では、薬品管理部２１１は、仕切り板４０の配置（座標）に関する仕切り位置テーブルを保持する。これに代えて、状況に応じて、仕切り板４０の配置（座標）を変更できるようにしてもよい。
【００５６】
図６（ａ）に示すように、仕切り板４０の底部に接触部４６を設ける。この接触部４６には、ポインティングデバイスの一種であるスタイラス等で利用されているタッチパネルディスプレイ１１において接触を検知できる素材を用いる。そして、この仕切り板４０を、所望の区画になるように配置する。
【００５７】
この場合、図６（ｂ）に示すように、仕切り板４０により、複数の区画が生成される。
更に、収納トレー３０においては、上面底３１がないものを用いる。この場合、仕切り板４０の接触部４６は、直接、タッチパネルディスプレイ１１に接触する。
【００５８】
図７に、区画の認識処理を説明する。
まず、管理サーバ２０の制御部２１は、仕切り板のタッチ位置の特定処理を実行する（ステップＳ３−１）。具体的には、制御部２１の薬品管理部２１１は、表示端末１０のタッチパネルディスプレイ１１において、接触部４６の位置を検知する。
【００５９】
次に、管理サーバ２０の制御部２１は、タッチ位置に基づいて仕切り位置の特定処理を実行する（ステップＳ３−２）。具体的には、制御部２１の薬品管理部２１１は、検出した接触部４６のタッチ位置に基づいて、仕切り板４０の配置を特定する。ここでは、薬品管理部２１１は、タッチパネルディスプレイ１１の各辺に平行に配置された２つの検出した接触部４６のタッチ位置を特定し、この２つのタッチ位置間に仕切り板４０の配置を特定する。
これにより、図６（ｃ）に示すように、仕切り板４０により、複数の仕切り区画を認識する。
【００６０】
ここで、接触部４６は片側だけに配置するようにしてもよい。この場合には、タッチパネルディスプレイ１１において、タッチ位置に近い辺に対して垂直方向に、タッチ位置を通過する仕切り板４０が配置されていると特定する。
これにより、仕切り板４０の配置を変更した場合にも、この配置に応じて区画を特定し、物品説明やコード画像の出力を行なうことができる。
【００６１】
・上記実施形態では、手術後に、撮影装置１５を用いて、コード画像を撮影し、薬品の使用状況を登録する。これに代えて、手術前に、薬品の収納状況を確認するようにしてもよい。
【００６２】
図８を用いて、手術前処理を説明する。
まず、管理サーバ２０の制御部２１は、ステップＳ１−１〜Ｓ１−４と同様に、手術の特定処理（ステップＳ４−１）、手術で用いる薬品の特定処理（ステップＳ４−２）、画面上で仕切り位置の特定処理（ステップＳ４−３）、仕切り位置に薬品情報の出力処理（ステップＳ４−４）を実行する。
【００６３】
次に、管理サーバ２０の制御部２１は、薬品準備完了かどうかについての判定処理を実行する（ステップＳ４−５）。具体的には、制御部２１の薬品管理部２１１は、薬品完了入力を待機する（ステップＳ４−５において「ＮＯ」の場合）。収納トレー３０に対して、薬品の収納を完了した場合、表示端末１０のタッチパネルディスプレイ１１を用いて、完了入力を行なう。
【００６４】
薬品準備完了と判定した場合（ステップＳ４−５において「ＹＥＳ」の場合）、管理サーバ２０の制御部２１は、ステップＳ２−４と同様に、薬品のコード画像の出力処理を実行する（ステップＳ４−６）。
【００６５】
次に、管理サーバ２０の制御部２１は、カメラでコード画像の読取処理を実行する（ステップＳ４−７）。具体的には、撮影装置１５を用いて、コード画像が表示されたタッチパネルディスプレイ１１の表示端末１０が格納された収納トレー３０を、上方から撮影する。そして、制御部２１の薬品管理部２１１は、撮影装置１５から撮影画像を取得する。
【００６６】
次に、管理サーバ２０の制御部２１は、コード画像により収納薬品の特定処理を実行する（ステップＳ４−８）。具体的には、制御部２１のコード処理部２１３は、すべてのコード画像が読み取れないことを確認する。
【００６７】
次に、管理サーバ２０の制御部２１は、収納薬品の登録処理を実行する（ステップＳ４−９）。具体的には、制御部２１の薬品管理部２１１は、手術前の撮影画像を使用情報記憶部２３に記録する。
これにより、作業後だけではなく、作業前にも物品の収納状況についての証跡を残すことができる。
【００６８】
・上記実施形態では、物品としての薬品の管理に適用した。管理対象の物品は薬品に限定されるものではない。
【００６９】
・上記実施形態では、確認用画像のコード画像としてカラーコードを用いる。確認用画像は、カラーコードに限定されるものではなく、物品が配置された領域を特定でき、かつ表示端末１０に表示し、認識できる情報であればよい。例えば、表示端末１０のタッチパネルディスプレイ１１において、認識可能なサイズの文字を出力し、文字認識を行なうようにしてもよい。
【００７０】
また、タッチパネルディスプレイ１１を発光して、薬品５１が残っている区画を特定するようにしてもよい。例えば、表示端末１０を用いて、３原色をタッチパネルディスプレイ１１全面に表示した表示画面を出力し、各表示画面を撮影する。この場合には、管理サーバ２０は、各区画に収納された薬品（物品）を記憶しておき、３原色の表示画面の撮影画像に基づいて、物品の影を検知できるかどうかを判定する。３原色の何れかの表示が遮られている場合には、その区画４３に物品が残置されていると判定する。３原色を用いることにより、物品がの残置判定において、薬品や容器（物品）の色の影響を軽減することができる。また、薬品や容器（物品）の色が予め把握できている場合には、この薬品や容器の補色からなる表示画面を用いでもよい。この場合には、補色を用いることにより、薬品や容器の有無を効率的に把握することができる。
【００７１】
・上記実施形態では、管理サーバ２０の制御部２１は、トレー特定処理を実行する（ステップＳ２−１）。この場合には、表示端末１０のメモリに記録された使用目的を取得する。収納トレー３０の特定方法は、メモリに記録されている使用目的を取得する方法に限定されるものではない。例えば、収納トレー３０の撮影領域にトレー識別コード画像を貼付しておいてもよい。この場合には、手術前に、薬品を収納するトレーの識別情報を、使用情報記憶部２３のトレー管理レコード２３０に登録する。そして、手術後に、撮影装置１５から取得した撮影画像に含まれるトレー識別コード画像から、トレー識別情報を取得し、利用された収納トレー３０を特定する。
【符号の説明】
【００７２】
１０…表示端末、１１…タッチパネルディスプレイ、１５…撮影装置、２０…管理サーバ、２１…制御部、２１１…薬品管理部、２１２…薬品説明表示部、２１３…コード処理部、２２…薬品情報記憶部、２３…使用情報記憶部、３０…収納トレー、３１…上面底、３２…底面、３３…開口部、４０…仕切り板、５５…コード画像。
【図１】
2018092444.tif 000003
【図２】
2018092444.tif 000004
【図３】
2018092444.tif 000005
【図４】
2018092444.tif 000006
【図５】
2018092444.tif 000007
【図６】
2018092444.tif 000008
【図７】
2018092444.tif 000009
【図８】
2018092444.tif 000010